【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
光源手段から出射された少なくとも１つの光束を偏向手段に入射させる入射光学手段と、該偏向手段で反射偏向された少なくとも１つの光束を被走査面上に結像させる結像手段と、を有する走査光学装置であって、
前記結像手段は、出射面に設けた回折面によって前記光束を回折する回折光学素子を備え、
該回折面からの回折光のうち、該被走査面上に結像される前記光束とは回折次数が異なり且つ前記被走査面上で主走査方向に走査される不要回折光の副走査方向の光束径を制限する制限手段を、該回折面と該被走査面との間の光路中に設けたことを特徴とする走査光学装置。
【請求項２】
前記制限手段の開口部の副走査方向の幅をＳ、該制限手段の置かれた場所における前記被走査面上に結像される光束の副走査方向の光束径をφｏ、前記不要回折光の副走査方向の光束径をφｍとしたとき、
φｏ＜Ｓ＜φｍ
なる条件を満足することを特徴とする請求項１の走査光学装置。
【請求項３】
前記制限手段は主走査方向に沿って略平行に配置されたエッジ部により形成されていることを特徴とする請求項１記載の走査光学装置。
【請求項４】
前記制限手段は主走査方向に沿って略平行に配置されたスリット部材により形成されていることを特徴とする請求項１記載の走査光学装置。
【請求項５】
前記制限手段は前記被走査面上に結像される光束の進行方向を変更する反射部材により形成されていることを特徴とする請求項１記載の走査光学装置。
【請求項６】
前記制限手段は走査光学装置を構成する複数の要素のうち少なくとも一つの要素を保持するケーシングに設けられた入射窓又は／及び出射窓により形成されていることを特徴とする請求項１記載の走査光学装置。
【請求項７】
前記不要回折光の走査幅は
Ｌｍ／Ｌｏ＜０．８
（但し、Ｌｍ：不要回折光の迷光の走査幅
Ｌｏ：有効走査幅）
なる条件を満足することを特徴とする請求項１記載の走査光学装置。
【請求項８】
前記被走査面上に結像される光束の次数をｎ、前記不要回折光の次数をｍとしたとき、
４≦ｍ／ｎ≦７
なる条件を満足することを特徴とする請求項１記載の走査光学装置。
【請求項９】
前記制限手段の開口部の副走査方向の幅をＳ、該制限手段の置かれた場所における前記不要回折光の迷光の副走査方向の大きさをφｍ、該不要回折光の迷光の走査幅をＬｍ、有効走査幅をＬｏとしたとき、
【数１】
2001318333.tif 000001
なる条件を満足することを特徴とする請求項１記載の走査光学装置。
【請求項１０】
前記被走査面上に結像される光束は前記回折面から１次の透過回折光として射出される光束であり、前記不要回折光は前記回折面で生じる６次の反射回折光であることを特徴とする請求項１乃至９のいずれか一項記載の走査光学装置。
【請求項１１】
前記回折面のベース面は平面形状である請求項１乃至９のいずれか一項記載の走査光学装置。
【請求項１２】
請求項１乃至１１のいずれか１項に記載の走査光学装置と、前記被走査面に配置された感光体と、前記走査光学装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１３】
請求項１乃至１１の何れか１項に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００１８
【補正方法】変更
【補正の内容】
【００１８】
【課題を解決するための手段】
請求項１の発明の走査光学装置は、源手段から出射された少なくとも１つの光束を偏向手段に入射させる入射光学手段と、該偏向手段で反射偏向された少なくとも１つの光束を被走査面上に結像させる結像手段と、を有する走査光学装置であって、
前記結像手段は、出射面に設けた回折面によって前記光束を回折する回折光学素子を備え、
該回折面からの回折光のうち、該被走査面上に結像される前記光束とは回折次数が異なり且つ前記被走査面上で主走査方向に走査される不要回折光の副走査方向の光束径を制限する制限手段を、該回折面と該被走査面との間の光路中に設けたことを特徴としている。
【手続補正３】
【補正対象書類名】明細書
【補正対象項目名】００１９
【補正方法】変更
【補正の内容】
【００１９】
請求項２の発明は、請求項１の発明において、前記制限手段の開口部の副走査方向の幅をＳ、該制限手段の置かれた場所における前記被走査面上に結像される光束の副走査方向の光束径をφｏ、前記不要回折光の副走査方向の光束径をφｍとしたとき、
φｏ＜Ｓ＜φｍ
なる条件を満足することを特徴としている。
【手続補正４】
【補正対象書類名】明細書
【補正対象項目名】００２０
【補正方法】変更
【補正の内容】
【００２０】
請求項３の発明は、請求項１の発明において、前記制限手段は主走査方向に沿って略平行に配置されたエッジ部により形成されていることを特徴としている。
【手続補正５】
【補正対象書類名】明細書
【補正対象項目名】００２１
【補正方法】変更
【補正の内容】
【００２１】
請求項４の発明は、請求項１の発明において、前記制限手段は主走査方向に沿って略平行に配置されたスリット部材により形成されていることを特徴としている。
【手続補正６】
【補正対象書類名】明細書
【補正対象項目名】００２２
【補正方法】変更
【補正の内容】
【００２２】
請求項５の発明は、請求項１の発明において、前記制限手段は前記被走査面上に結像される光束の進行方向を変更する反射部材により形成されていることを特徴としている。
【手続補正７】
【補正対象書類名】明細書
【補正対象項目名】００２３
【補正方法】変更
【補正の内容】
【００２３】
請求項６の発明は、請求項１の発明において、前記制限手段は走査光学装置を構成する複数の要素のうち少なくとも一つの要素を保持するケーシングに設けられた入射窓又は／及び出射窓により形成されていることを特徴としている。
【手続補正８】
【補正対象書類名】明細書
【補正対象項目名】００２４
【補正方法】変更
【補正の内容】
【００２４】
請求項７の発明は、請求項１の発明において、前記不要回折光の走査幅は
Ｌｍ／Ｌｏ＜０．８
（但し、Ｌｍ：不要回折光の迷光の走査幅
Ｌｏ：有効走査幅）
なる条件を満足することを特徴としている。
【手続補正９】
【補正対象書類名】明細書
【補正対象項目名】００２５
【補正方法】変更
【補正の内容】
【００２５】
請求項８の発明は、請求項１の発明において、前記被走査面上に結像される光束の次数をｎ、前記不要回折光の次数をｍとしたとき、
４≦ｍ／ｎ≦７
なる条件を満足することを特徴としている。
【手続補正１０】
【補正対象書類名】明細書
【補正対象項目名】００２６
【補正方法】変更
【補正の内容】
【００２６】
請求項９の発明は、請求項１の発明において、前記制限手段の開口部の副走査方向の幅をＳ、該制限手段の置かれた場所における前記不要回折光の迷光の副走査方向の大きさをφｍ、該不要回折光の迷光の走査幅をＬｍ、有効走査幅をＬｏとしたとき、
【数２】
2001318333.tif 000002
なる条件を満足することを特徴としている。
【手続補正１１】
【補正対象書類名】明細書
【補正対象項目名】００２７
【補正方法】変更
【補正の内容】
【００２７】
請求項１０の発明は、請求項１乃至９のいずれか１項の発明において、前記被走査面上に結像される光束は前記回折面から１次の透過回折光として射出される光束であり、前記不要回折光は前記回折面で生じる６次の反射回折光であることを特徴としている。
【手続補正１２】
【補正対象書類名】明細書
【補正対象項目名】００２８
【補正方法】変更
【補正の内容】
【００２８】
請求項１１の発明は、請求項１乃至９のいずれか１項の発明において、前記回折面のベース面は平面形状であることを特徴としている。
【手続補正１３】
【補正対象書類名】明細書
【補正対象項目名】００２９
【補正方法】変更
【補正の内容】
【００２９】
請求項１２の発明の画像形成装置は、請求項１乃至１１のいずれか１項に記載の走査光学装置と、前記被走査面に配置された感光体と、前記走査光学装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１４】
【補正対象書類名】明細書
【補正対象項目名】００３０
【補正方法】変更
【補正の内容】
【００３０】
請求項１３の発明の画像形成装置は、請求項１乃至１１の何れか１項に記載の走査光学装置と、外部機器から入力したコードデータを画像信号に変換して前記走査光学装置に入力せしめるプリンタコントローラとを有していることを特徴としている。
【手続補正１５】
【補正対象書類名】明細書
【補正対象項目名】００３１
【補正方法】削除
【補正の内容】